(57)【要約】回転陽極X線管は時間とともに劣化する。電子ビームの作用が回転陽極の焦点スポット領域の表面を変えるからである。これは、その源が撮像用途に使われるときの結果として得られるオブジェクト画像の劣化を引き起こす。そのような効果の補正を許容するX線管収容アセンブリーが論じられる。特に、撮像のためには使われない、前記X線放射の追加的なビームが、そのような効果を補正するために使用されうる。
2016529645.tif 000002
【特許請求の範囲】
【請求項１】
信号を提供するよう動作可能なX線管収容アセンブリーであって、当該X線管収容アセンブリーは：
・焦点スポットからのX線放射を生成するX線管と；
・参照フィルタと；
参照検出器と；
・コントローラとを有しており、
前記X線放射は、主要部分および参照部分を含み、前記主要部分は前記参照部分とは相異なり、
前記主要部分および前記参照部分は、基面を基準に測られる、前記焦点スポットにある頂点からの仰角である最小および最大取り出し角の間にあり、
前記参照部分および前記主要部分の最小取り出し角は互いに等しく、前記参照部分および前記主要部分の最大取り出し角は互いに等しく、
前記参照フィルタは、前記参照検出器による前記参照部分の検出の前に前記参照部分をフィルタリングするよう構成され、
前記参照検出器は、前記参照部分を検出して参照信号を与えるよう構成され、
前記コントローラは、前記参照信号に基づいて信号を計算するよう構成されている、
X線管収容アセンブリー。
【請求項２】
当該X線管収容アセンブリーが、参照X線窓および主要X線窓をもつX線収容部（１３２）を有しており、それにより、動作においては、前記参照X線窓が参照ビームを提供し、前記主要X線窓が主要ビームを提供する、請求項１記載のX線管収容アセンブリー（１３２）。
【請求項３】
当該X線管収容アセンブリーは、X線を前記参照ビームと前記主要ビームに分離するよう、回転陽極X線管内部に配置されたX線に対して不透明なオブジェクトを有する、請求項１または２記載のX線管収容アセンブリー。
【請求項４】
当該X線管収容アセンブリーがさらに、前記参照検出器と前記参照フィルタとの中間に配置された減衰器を有する、請求項１ないし３のうちいずれか一項記載のX線管収容アセンブリー。
【請求項５】
前記参照フィルタは曝露と曝露の間に交換されることができる、請求項１ないし４のうちいずれか一項記載のX線管収容アセンブリー。
【請求項６】
前記参照検出器と前記減衰器の中間に位置され、前記焦点スポットに焦点を合わされた散乱防止グリッドを有する、請求項４または５記載のX線管収容アセンブリー。
【請求項７】
X線ブロッカーをさらに有しており、前記X線ブロッカーは空間解像スリットをもち、よって前記参照検出器と一緒になって強度分布の端から前記焦点スポットの位置を検出する一次元焦点スポット・スリット・カメラを形成するよう構成される、請求項１ないし６のうちいずれか一項記載のX線管収容アセンブリー。
【請求項８】
前記参照検出器の前面に配置されて空間解像ストライプを形成する不透明なワイヤをさらに有しており、該空間解像ストライプは、よって前記参照検出器と一緒になって強度分布のパターンから前記焦点スポットの位置を検出するよう構成される、請求項１ないし７のうちいずれか一項記載のX線管収容アセンブリー。
【請求項９】
二つの空間解像スリットが直交に位置されて、二次元焦点スポット・スリット・カメラを形成し、該カメラは、動作において、測定された参照ビームのパターンから前記焦点スポットの位置を検出するよう構成される、請求項７または８記載のX線管収容アセンブリー。
【請求項１０】
前記参照フィルタが異なるフィルタ値をもつ複数のフィルタを有しており、前記一次元または二次元の焦点スポット・スリット・カメラは、異なる減衰器値をもつさらなる複数の減衰器を有しており、それにより、前記スリット・カメラの前記参照検出器は減衰器およびフィルタの複数の組み合わせの背後で前記参照ビームを検出する、請求項７ないし９のうちいずれか一項記載のX線管収容アセンブリー。
【請求項１１】
前記フィルタおよび前記さらなる減衰器の諸組み合わせが前記参照ビームの全体をカバーする、請求項１０記載のX線管収容アセンブリー。
【請求項１２】
複数の一次元または二次元の焦点スポット・スリット・カメラが設けられ、一緒になってマルチ・スリット焦点スポット・カメラをなし、前記複数の一次元または二次元の焦点スポット・スリット・カメラのスリットのうち少なくとも第一および第二のスリットが、前記参照検出器のピクセル境界に対してオフセットされている、請求項７ないし１１のうちいずれか一項記載音X線管収容アセンブリー。
【請求項１３】
前記コントローラは、少なくとも一つの参照検出器の少なくとも一つの出力から：スペクトル変動性、管電圧、前記焦点スポットの位置、前記焦点スポットのサイズ、前記焦点スポットの強度、管電流、管加齢、動的陽極回転不安定性、周期的陽極回転不安定性、前記焦点スポットの位置もしくは形状の磁気歪みおよび前記焦点スポットの形状もしくは位置の重力歪みからなる群からの少なくとも一つのパラメータを計算するよう構成されている、請求項１ないし１２のうちいずれか一項記載のX線管収容アセンブリー。
【請求項１４】
前記参照フィルタおよび前記参照検出器が前記回転陽極X線管の容器内に配置される、請求項１記載のX線管収容アセンブリー。
【請求項１５】
複数の参照ビームが提供され、前記複数の参照ビームのそれぞれは参照検出器に関連付けられ、当該管収容アセンブリーは、動作において、前記複数の参照ビームからの信号を選択するまたは組み合わせるよう構成されている、請求項１ないし１４のうちいずれか一項記載のX線管収容アセンブリー。
【請求項１６】
・X線管収容アセンブリーと；
・変更可能なオブジェクト前のX線フィルタと；
・オブジェクト後の検出器と；
・処理ユニットとをもつX線撮像システムであって、
前記X線管収容アセンブリーは、請求項１ないし１５のうちいずれか一項記載のX線管収容アセンブリーであり、
前記オブジェクト前のX線フィルタは、前記X線管収容アセンブリーにおける少なくとも一つの参照フィルタ値にマッチし、
前記オブジェクト後の検出器は、前記X線管収容アセンブリー内の前記参照検出器と同じ型であり、
前記処理ユニットは、前記X線管収容アセンブリーから前記補正信号を受領し、該補正信号を前記オブジェクト後の検出器からのデータを補正するために使う、
X線撮像システム。
【請求項１７】
前記オブジェクト前のX線フィルタは、前記X線管収容アセンブリー内の前記少なくとも一つの参照フィルタとは異なる、請求項１５記載のX線撮像システム。
【請求項１８】
X線管収容アセンブリーのX線放出特性の変化を表わす信号を決定する方法であって：
ａ）X線管の焦点スポットからのX線放射を生成する段階であって、前記X線放射は主要部分および参照部分を含み、前記主要部分は前記参照部分とは相異なり、前記主要部分および前記参照部分は、基面を基準に測られる、前記焦点スポットにある頂点からの仰角である最小および最大取り出し角の間にあり、前記X線放射は主要部分および参照部分を含み、前記参照部分と主要部分の最小取り出し角は互いに等しく、前記参照部分と主要部分の最大取り出し角は互いに等しい、段階と；
ｂ）参照フィルタを使って前記参照部分をフィルタリングする段階と；
ｃ）前記参照部分を検出する段階と；
ｄ）前記参照部分の特性を表わす参照信号を出力する段階と；
ｅ）信号を計算する段階と；
ｆ）前記信号を出力する段階とを含む、
方法。
【発明の詳細な説明】
【技術分野】
【０００１】
本発明はX線検出に関する。
【背景技術】
【０００２】
回転陽極管X線源では、電子は陰極と回転陽極との間で、キロボルト電位差をかけて加速され、回転陽極の焦点トラック上に衝突する。この過程で、X線が生成され、このX線は回転陽極上の電子ビーム衝突の点における「焦点スポット」から発すると言われる。衝突において散逸されるエネルギーのため、この過程で回転陽極の表面が修正されることがあり、小さな穴や傷が生じはじめることがある。
【０００３】
結果として、管のX線収率およびスペクトルは管の寿命の経過とともに変わることがあり、これは管が使用される用途に影響をもつことがある。現代のX線管用途の傾向は、（CTシステムにおける）ガントリー速度の増大に相応して回転陽極に加えられる瞬時パワーが増すというものである。
【０００４】
さらに、（よりよい空間解像度を許容するための）検出器セルおよび焦点スポットの縮小および（広げられた検出器カバー範囲のための）陽極角の広角化（widening）は、回転陽極X線管の焦点スポットにおける増大したパワー密度につながる。電子ビームによって引き起こされる回転陽極の表面の変更のレートが増すことは、今後、大いにありうることである。
【０００５】
特許文献１では、陽極上に配置された構造が焦点スポットを通る場合に検出されることができる、スリットを有する構造をもつ回転陽極が記述されている。このように、焦点スポットの属性は、X線管の動作の間の検出された信号の変化から決定されることができる。
【先行技術文献】
【特許文献】
【０００６】
【特許文献１】米国特許出願公開第2009/0067578号
【発明の概要】
【発明が解決しようとする課題】
【０００７】
スペクトル検出CTシステムは、回転陽極の標的材料における変化によって引き起こされる回転陽極X線源の未知のスペクトル変動性を被ることがある。回転陽極X線源では、スペクトル変動性は、粗くされた標的が電子ビームの下で焦点スポットを通って動く際に、10から100msの間の特徴的な時間変動性をもって生じうる。標的は、回転陽極に衝突し、多数回の曝露サイクルにわたって陽極の表面の一部を押しのける電子ビームの反復された作用を通じて粗くされる。これは、X線スペクトルの高周波数変更を作り出すことがあり、それは撮像されるオブジェクトの画質を劣化させることがある。
【０００８】
減速する電子によって引き起こされる熱エネルギーが陽極中に散逸する際の回転陽極の熱膨張のため、回転陽極上の焦点スポットの位置がその所望される位置からドリフトして離れていくことがありうることが示されている。結果として得られるビームのサイズおよびX線強度分布も望まれない仕方で変わりうる。熱陽極加熱の効果の補正を許容することが有益であろう。
【０００９】
最後に、キーとなる技術因子としての管電圧および／または電流は通例、高価で大がかりな抵抗性分圧器を使ってX線システムにおいて測定される。向上されたコンパクトさおよび低減された測定コストが望ましいであろう。
【００１０】
このように、X線画像を補正するために使用できる情報を含む補正信号を提供するX線源であって、補正信号自身は撮像されるオブジェクトによって影響されていないものが必要とされている。
【課題を解決するための手段】
【００１１】
本発明の目的は、独立請求項の主題によって解決される。ここで、さらなる実施形態が従属請求項に組み込まれる。本発明の以下の記述される側面はX線撮像システムおよび方法にも当てはまることを注意しておくべきである。
【００１２】
本発明によれば、信号を提供するよう動作可能なX線管収容アセンブリーが提供される。該X線管収容アセンブリーは、焦点スポットからのX線放射を生成するX線管と、参照フィルタと、参照検出器と、コントローラとを有する。X線放射は、主要部分および参照部分を含み、主要部分は参照部分とは区別される。主要部分および参照部分は、基面（base  plane）を基準に測られる、焦点スポットにある頂点からの仰角である最小および最大取り出し角（take-off  angle）の間にある。参照部分および主要部分の最小取り出し角は互いに等しく、参照部分および主要部分の最大取り出し角は互いに等しい。参照フィルタは、参照検出器による参照部分の検出前に参照部分をフィルタリングするよう構成される。さらに、参照検出器は、参照部分を検出して参照信号を与えるよう構成され、コントローラは、該参照信号に基づいて信号を計算するよう構成される。
【００１３】
そのようなX線源は、回転陽極に対する変更によって引き起こされるX線源よって放出されるX線の変動が測定され、補正されることを許容する。参照検出器がX線の参照部分からのX線を検出し、それが、撮像されるべきオブジェクト、たとえばCTスキャナ内の患者を照射するために使用できるX線の主要部分と同じスペクトル特性および空間強度プロファイルをもつからである。
【００１４】
参照部分からのX線が、主要部分におけるX線放射を補正するために使用できる理由は、放射の両方の部分が同じX線管から取られており、同じ型の参照フィルタおよび検出器を通過し、諸部分がX線管の回転陽極から取られる「取り出し」および「ファン」角も同じだということである。
【００１５】
X線管アセンブリーからこのようにして提供される信号は、先述した効果の補正を許容する情報を与えることができる。先述した効果とは、ビーム標的の粗さによって引き起こされるスペクトル変動性、回転陽極の加熱によって引き起こされる焦点スポットのドリフトおよび管電圧および他の重要な技術因子の測定などだがそれに限られない。
【００１６】
本発明のある例示的実施形態によれば、X線管収容アセンブリーが、参照X線窓および主要X線窓をもつX線筐体を有しており、それにより、動作においては、参照X線窓が参照ビームを提供し、主要X線窓が主要ビームを提供する。
【００１７】
この実施形態では、窓（または開口）は、それぞれ参照検出器および標的をねらうための、参照および主要X線部分からのよく定義されたビームを形成する。
【００１８】
本発明のもう一つの例示的実施形態によれば、X線管収容アセンブリーは、X線を参照ビームと主要ビームに分離するよう、真空管内部に配置されたX線に対して不透明なオブジェクトを有する。
【００１９】
この実施形態では、X線管収容アセンブリー自身のケーシング内に追加のハードウェアを必要とすることなく、よく定義された参照ビームおよび主要ビームが生成されることができる。ビームを参照および主要ビームに分割する手段は、X線管内に設けられる。
【００２０】
本発明のもう一つの例示的実施形態によれば、X線管収容アセンブリーはさらに、参照検出器と参照フィルタとの中間に配置された減衰器を有する。
【００２１】
減衰器は、参照検出器要素の飽和を防止する。参照検出器要素は典型的には光子カウンタ内のピクセルである。したがって、参照検出器は、X線フラックスを正確に検出できる。減衰器は、限られたX線フィルタリング効果をもつが有意なX線減衰効果をもつ、テフロン（登録商標）またはベリリウムのような低原子番号の材料でできていてもよい。
【００２２】
本発明のもう一つの例示的実施形態によれば、参照フィルタは曝露と曝露の間に置換されることができる。
【００２３】
CTスキャナのある例示的応用では、異なるオブジェクト撮像レジームは、たとえば患者のサイズに依存して、X線の異なるパワーを使う。これは、撮像されるオブジェクト側でフィルタの置換を必要とする。参照フィルタをも置換して、どの時点でも患者フィルタにマッチするようにできることが便利であろう。このようにして、参照検出器に到達する参照ビームは、主要ビームと同じ型のフィルタを通過していることになる。
【００２４】
本発明のあるさらなる例示的実施形態によれば、X線管収容アセンブリーはさらに、参照検出器と減衰器の中間に位置され、前記焦点スポットに焦点を合わされる、散乱防止グリッドを有する。
【００２５】
散乱防止グリッドを設けることで、中心から外れたX線が参照検出器に到達することが防がれる。これは、参照信号の品質を改善する。そのような中心を外れた放射は、撮像されるべきオブジェクトを通過する前に発された放射の真の表現としての参照ビームの品質をも劣化させることがあり、よって、参照信号から導出される補正信号の品質を劣化させることがある。
【００２６】
本発明のあるさらなる例示的実施形態によれば、X線ブロッカーが設けられる。これは、空間解像スリットを有しており、よって参照検出器と一緒になって空間強度分布の端から焦点スポットの位置を検出する一次元焦点スポット・スリット・カメラを形成するよう構成される。
【００２７】
本発明のある実施形態によれば、参照検出器の前面に不透明なワイヤが配置されて空間解像ストライプを形成する、X線管アセンブリーが提供される。該空間解像ストライプは、よって参照検出器と一緒になって強度分布のパターンから焦点スポットの位置を検出するよう構成される。
【００２８】
本発明のもう一つの例示的実施形態によれば、二つの空間解像スリットが直交に位置されて、二次元焦点スポット・スリット・カメラを形成する。該カメラは、動作において、測定された参照ビームのパターンから焦点スポットの位置を検出するよう構成される。
【００２９】
ファン・ビームを横断して位置される二つの直交スリット・カメラの存在は、基面に沿ったおよび基面の上下の焦点スポットのドリフトが検出されることを許容する。このことは、焦点スポットのドリフトが二次元的に同定されることを許容する。この意味における基面は、回転陽極の回転の平面を指す。
【００３０】
あるさらなる実施形態によれば、X線管収容アセンブリーの参照フィルタは、異なるフィルタ値をもつ複数のフィルタを有する。前記一次元または二次元の焦点スポット・スリット・カメラは、異なる減衰器値をもつさらなる複数の減衰器を有する。それにより、スリット・カメラの参照検出器は減衰器およびフィルタの複数の組み合わせの背後の参照ビームを検出する。
【００３１】
この実施形態では、参照検出器は、異なるフィルタ値および異なる減衰器の諸組み合わせを通じてフィルタリングされた参照ビームを受領する。光子フラックスはX線システムの用途プロトコルに応じて変わりうるので、たとえば、患者のような撮像されるべきオブジェクトのサイズに依存して異なる画像フィルタが使用されてもよく、過剰放射も過小放射もされていない、ファン・ビームを横断するフィルタおよび減衰器の諸組み合わせに沿って、常に、参照検出器ピクセルのよく照射された線アレイがあることが保証される。各「セクター」は、フィルタおよび減衰器組み合わせによって定義される。
【００３２】
本発明のさらなる例示的実施形態によれば、フィルタおよび減衰器の組み合わせは参照ビーム全体（β）をカバーする。
【００３３】
この実施形態では、使用されるビームにおける各可能なフィルタについて、参照ビームにおいて対応するフィルタがある。したがって、スペクトルは、たとえ大きく異なる値のX線強度が適用されるときでも、ビームの幅にわたって測定されることができる。
【００３４】
あるさらなる実施形態によれば、基づくX線管収容アセンブリーが、一次元または二次元の焦点スポット・スリット・カメラの複数を設けられる。一緒になって、これらはマルチ・スリット焦点スポット・カメラをなす。一次元または二次元の焦点スポット・スリット・カメラの前記複数のうち少なくとも第一および第二のスリットが、参照検出器のピクセル境界に対してオフセットされている。
【００３５】
したがって、この実施形態によれば、焦点スポットの動きまたは形状の変化の際、これら複数のスリット・カメラは、異なる信号比を生成する。最適な信号比が、歪みの検出のために使われてもよい。これは、より大きなサイズのピクセルが検出器において使われることを許容する。
【００３６】
本発明のあるさらなる例示的実施形態によれば、前記コントローラは、少なくとも一つの参照検出器の少なくとも一つの出力から：スペクトル変動性、管電圧、焦点スポットの位置、焦点スポットのサイズ、焦点スポットの強度、管電流、管加齢、動的陽極回転不安定性、周期的陽極回転不安定性、焦点スポットの位置もしくは形状の磁気歪みおよび焦点スポットの位置もしくは形状の重力歪みからなる群からの少なくとも一つのパラメータを計算するよう構成される。
【００３７】
したがって、参照ビームを特徴付ける信号が計算されることができる。これらの信号は、少なくとも三つのカテゴリーにはいりうる。
【００３８】
第一に、電子ビームによって引き起こされる回転陽極損傷に関連する高周波数で起こる不完全性が、参照ビームを横断して測定され、記録されてもよい。これは、オブジェクト画像において、回転陽極不完全性によって引き起こされる高周波数不完全性が、リアルタイムでまたは画像後処理において補正されることを許容する。
【００３９】
第二に、主として回転陽極加熱に起因する、より低いレートで生じる変化が追跡されてもよい。そのようなより低いレートの効果は主として、加熱または冷却に起因する回転陽極の膨張または収縮によって引き起こされる、数秒にわたる焦点スポットの位置の逸脱の形で現われうる。熱膨張に関係する信号は、熱ドリフトを補償するために、制御ループにおいてX線管内の電極に「フィードバック」されてもよい。
【００４０】
あるいはまた、そのような熱ドリフト信号は、オブジェクト画像についての追加的な補正信号を提供してもよい。
【００４１】
最後に、X線検査装置の動作のために重要な、管電圧または管電流に関係したパラメータが捕捉されてもよい。したがって、これらのパラメータは、通例必要とされるような高価な追加回路なしに捕捉されうる。
【００４２】
さらに、参照ビームを使って電流測定をするとき、X線管収容アセンブリーにはいる全電流ではなく、参照ビームにおける電流のみが測定される（主要ビームにおける電流は参照ビームにおける電流と相関している）。
【００４３】
あるさらなる例示的実施形態によれば、参照フィルタおよび参照検出器は真空管内に含まれる。
【００４４】
参照検出器および参照フィルタを真空管内に配置することで、参照ビーム配置がよりコンパクトにできる。
【００４５】
本発明によれば、複数の参照ビームが提供される。複数の参照ビームのそれぞれは、参照検出器に関連付けられ、管収容アセンブリーは、動作において、該複数の参照ビームからの信号を選択するまたは組み合わせるよう構成される。
【００４６】
したがって、最も強い参照信号を選択する、あるいは諸ビームからの情報を組み合わせることによって、計算された信号の信号対雑音比を改善することが可能である。
【００４７】
本発明によれば、X線管収容アセンブリーと；変更可能なオブジェクト前のX線フィルタと；オブジェクト後の検出器と；処理ユニットとをもつX線撮像システムも提供される。X線管収容アセンブリーは、先述したX線管収容アセンブリーである。オブジェクト前のX線フィルタは、X線管収容アセンブリーにおける少なくとも一つの参照フィルタ値にマッチする。オブジェクト後の検出器は、X線管収容アセンブリー内の参照検出器と同じ型である。さらに、処理ユニットは、X線管収容アセンブリーからの信号を受領し、それらをオブジェクト後の検出器からのデータを補正するために使う。
【００４８】
記載したX線撮像システムにおいて、参照ビームは、撮像ビーム（主要ビーム）と同じ型の要素にさらされる。したがって、回転陽極劣化によって引き起こされるビーム品質の劣化が正確に測定され、補償されることができる。
【００４９】
本発明のある例示的実施形態によれば、X線撮像システムが提供される。オブジェクト前のX線フィルタは、X線管収容アセンブリー内の前記少なくとも一つの参照フィルタとは異なる。
【００５０】
X線撮像システムが患者前の側および患者後の側で異なるフィルタ値を使うとき、システムは簡略化される。各露出についてそれらのフィルタがマッチされることを保証する必要がないからである。
【００５１】
本発明によれば、X線管のX線放出特性の変化を判別する方法も提供される。本方法は、
ａ）X線管の焦点スポットからのX線放射を生成する段階であって、前記X線放射は主要部分および参照部分を含み、前記主要部分は前記参照部分とは相異なり、前記主要部分および前記参照部分は、基面（base  plane）を基準に測られる、焦点スポットにおける頂点からの仰角である最小（αmin,MAIN、αmin,REF）および最大（αmax,MAIN、αmax,REF）取り出し角（take-off  angle）の間にあり、前記X線放射は主要部分および参照部分を含み、前記参照部分と主要部分の最小取り出し角（αmin,MAIN、αmin,REF）は互いに等しく、前記参照部分と主要部分の最大取り出し角は互いに等しい（αmax,MAIN、αmax,REF）、段階と；
ｂ）参照フィルタを使って前記参照部分をフィルタリングする段階と；
ｃ）前記参照部分を検出する段階と；
ｄ）前記参照部分の特性を表わす参照信号を出力する段階と；
ｅ）補正信号を計算する段階と；
ｆ）前記補正信号を出力する段階とを含む。
【００５２】
上記で定義した方法により、回転陽極加齢または加熱のX線オブジェクト画像に対する効果を補償するために使用されることができる補正信号を提供できる。さらに、この方法により得られる補正信号は、管電流および管電圧のような重要な動作情報を導出するために使用できる。
【００５３】
本発明によれば、X線管における不完全性が、X線管からの明確に区別される参照部分（ビーム）を使って特徴付けられる。参照ビームは、オブジェクトを撮像するために使われるX線部分（ビーム）とは相異なる。（回転陽極の方位角φによって定義される）基面のまわりの参照検出器の任意の位置が、該位置がオブジェクト撮像のために使われる主要ビームと異なっている限り、可能である。
【００５４】
参照検出器の二次元領域と、二次元焦点スポット領域とが、参照部分を定義する。参照ビームの最小取り出し角およびファン角は、撮像ビームのものに等しいべきである。これは、回転陽極から放出される光子のスペクトルおよび強度分布が、焦点スポットが位置する面への法線のまわりに極対称性をもつからである。
【００５５】
主要ビームにおけるのと同じフィルタが参照ビームにおいて使われる場合には、これは等しいビーム品質を保証する。
【００５６】
上記の議論において、源からのX線の主要部分および参照部分への分割が論じられた。「主要部分」という用語は単に、回転陽極から発されたX線のうち、関心対象のオブジェクトのほうに向けられ、その後測定側の検出器によって測定されるセクターを指すということは理解しておくべきである。
【００５７】
同様に、「参照部分」という用語は単に、放出されたX線のうち、参照検出器によって検出される別のセクターを定義するということを理解しておくべきである。X線の参照部分および主要部分は互いに異なるものである。
【００５８】
さらに、二つ以上の参照検出器がX線管収容アセンブリー内部に配置されてもよいことを理解しておくべきである。この場合、各参照検出器について一つずつで、二つ以上の参照部分があることになる。複数の参照部分（および参照ビーム）が提供される場合、そのそれぞれは異なるフィルタを有していてもよい。このようにして、主要ビームにおいて使われるフィルタにマッチしたフィルタが、ユーザー介入なしに自動的に選択されてもよい。
【００５９】
さらに、「最小取り出し角」という用語は、主要部分もしくは参照部分のいずれかの端と、回転陽極の基面との間の角を定義することを理解しておくべきである。さらに、「最大取り出し角」は、参照部分もしくは主要部分の反対側の端と、回転陽極の基面との間の角を定義する。参照部分の最小および最大取り出し角は、焦点スポットに位置している頂点からの仰角である。
【００６０】
さらに、以上の議論から、参照ビームおよび主要ビームは、X線管の容器内のまたはX線管収容アセンブリー内の窓に従って定義されることを理解しておくべきである。
【００６１】
基面は、回転陽極の円錐台状の（斜角面にされた）表面に接する面として定義されることを理解しておくべきである。この面上に焦点スポットが位置される。換言すれば、基面は、電子ビームが向けられる回転陽極の斜角面の角（chamfer  angle）と同じ面にある。焦点スポットの面積および焦点スポットが動きうる面積は、通例、円錐台セクションの面積と比べて非常に小さいので、焦点スポットの動きは平坦な面上の中心位置（頂点）のまわりで起こるというのが良好な近似である。この近似の効果は、本発明の動作に著しく影響しないが、この近似は、幾何構成のより簡単な視覚化を許容する役に立つ。
【００６２】
むろん、X線管アセンブリーは、CTシステム内部で使われてもよい。CTシステムでは、X線管アセンブリーは患者のまわりで回転し、X線のファン・ビームを生成する。撮像されるオブジェクトによって減衰されたX線を電気信号に変換する検出器システムは、それと対向したまま、ガントリー上で回転する。次いで、コンピュータ・システムが患者の解剖学的構造の画像を再構成する。
【００６３】
むろん、論じられている一般的技法は単にCTシステムに適用可能なだけではない。他の多くの型のX線システムが、X線管において生じる不完全性を補正するための参照ビームの適用から裨益しうる。たとえばCアーム・システムである。
【００６４】
本技法は、工業製造システムにおいてまたは旅客荷物システムにおいて使われるX線スキャナのようなシステムにも適用できる。用途は、単に医療撮像システムに限定されると考えられるべきではない。
【００６５】
本発明のこれらおよび他の側面は、以下に記述される実施形態を参照することから明白になり、明快にされるであろう。
【図面の簡単な説明】
【００６６】
本発明の例示的実施形態が以下の図面において記載される。
【図１】X線管収容アセンブリーの例を概略的に示す図である。
【図２】さらなる例に基づくX線管収容アセンブリーを通じた断面を概略的に示す図である。
【図３】Ａは、回転陽極の上から見たときの主要ビームおよび参照ビームの例であり、Ｂは、ある例に基づく回転陽極X線管における関連する角の間の幾何学的関係の例であり、Ｃは、焦点スポットを示す、回転陽極の概括的なビューである。
【図４】代替的な参照部分位置のさらなる例である。
【図５】Ａは、斜角面にされた端（chamfered  edge）をもつ回転陽極の代表ビューであり、Ｂは、X線放出特性を示す回転陽極の表現である。
【図６】回転陽極から放出される参照部分および主要部分を示す図である。
【図７】参照検出器構成を概略的に示す図である。
【図８】ある例示的実施形態に基づくX線検出のさらなる側面を示す図である。
【図９】参照検出器構成の例示的実施形態の概略表現である。
【図１０】ある例に基づく参照検出器によるX線検出のさらなる側面を示す図である。
【図１１】Ａは、ある例に基づく一次元焦点スポット・スリット・カメラの概略表現であり、Ｂは、横から示される図１１のＢの一次元焦点スポット・スリット・カメラのさらなる側面を示す図である。
【図１２】Ａは、二次元焦点スポット・スリット・カメラの第一の代替的な実施形態を示し、Ｂは、二次元焦点スポット・スリット・カメラの第二の代替的な実施形態を示す。
【図１３】Ａは、図１２のＡの二次元焦点スポット・スリット・カメラを使用において示し、Ｂは、図１２のＢの代替的な実施形態の二次元焦点スポット・スリット・カメラを使用において示す。
【図１４】ある例示に基づく参照フィルタを示す。該参照フィルタは、複数の、異なるフィルタ値をもつフィルタおよび異なる減衰器を有する。フィルタおよび減衰器の組み合わせがファン・ビーム全体をカバーする。
【図１５】オフセット・スリットをもつ一次元のマルチ・スリット焦点スポット・カメラの例を示す図である。
【図１６】CアームX線撮像システムの例を示す図である。
【図１７】ある例に基づくX線撮像方法を示す図である。
【発明を実施するための形態】
【００６７】
図１は、本発明に基づくX線管収容アセンブリー１３２を概略的に示す。X線管収容アセンブリー１３２は、源内部に含まれるX線管１０２を有する。X線管は、内部で真空を維持する密封された容器をもつ。管内には、回転陽極１３０に近接して配置された陰極１２８がある。
【００６８】
陰極と回転陽極との間に適切な電圧が加えられるとき、電子ビームは真空中を進み、回転陽極１３０に衝突する。CTシステムで使われるような回転陽極は、円錐台（円錐のセグメント）の形をもつ。その一例が図３のＣに示されている。X線ビームが回転陽極１３０に衝突する点は焦点スポット１０４として知られている。焦点スポットは、円錐台の形の傾いた側面（斜角面）上に位置する。電子の急激な減速および加速が制動放射の放出につながる結果として、X線が焦点スポットから放出される。
【００６９】
X線管収容アセンブリー１３２内部には、参照フィルタ１０６および参照検出器１０８が配置されている。参照検出器は、参照フィルタ１０６を通して、焦点スポット１０４に対するX線ビューをもつ。
【００７０】
参照検出器１０８は、参照検出器のピクセルに入射するX線フラックスのレベルにリンクされている参照信号１２５を出力する。
【００７１】
コントローラは、参照信号を受領し、計算を実行して、参照信号に基づく信号１２６を出力するよう構成されている。
【００７２】
動作において、陰極１２８は回転陽極上の標的領域に向けて電子を放出することを注意しておく。
【００７３】
電子は標的領域に衝突し、それによりX線放射（X線）を生成する。X線光子はランダムな仕方で放出されて、焦点スポットの上の半空間中に広がる強度分布を引き起こす。図１では、このことは、二つの部分１１２および１１０によって示されている。部分１１２は、「参照部分」とも称され、部分１１０は「主要部分」とも称される。主要部分１１０は典型的には、X線管収容アセンブリー１３２から放出され、X線システムにおいて、撮像されるべきオブジェクトに入射するよう配置される。
【００７４】
参照部分１１２は、参照フィルタ１０６を通じてX線管１０２から放出され、参照検出器１０８によって受領される。図のように、基面１１４は、主要部分と参照部分を定義する仰角を測る基準となる。基面は、焦点スポットが位置している回転陽極の円錐台セクションの端に接する面である。
【００７５】
焦点スポットの表面は、微視的には、斜角面の部分の非常に小さな割合をカバーする。すなわち、回転陽極の円錐台部分のごく一部である。図６の基面は焦点スポットに接する面である。静的な陽極は通例平坦である。この場合、本発明が適用される場合、基面は単に焦点スポット面である。
【００７６】
読者は、図の簡単のため、基面および結果として生じる角度は図１に示されるように水平であるとしてモデル化されることができることを理解するであろう。基面が水平としてモデル化されるのと円錐台（斜角面にされた）端の接平面に傾けられるのとから生じる差異は、本発明に影響しない。
【００７７】
参照部分１１２は、参照検出器１０８の前面が占める二次元領域と、焦点スポットが占める領域との間に定義されるものと考えることができる。
【００７８】
主要部分１１０は、焦点スポットと、この実施形態では請求されず図１には示していない撮像検出器の前面との間の領域において定義されるものと考えてもよい。読者は、この定義によれば、参照部分と撮像部分が相異なることを理解するであろう。これは、参照検出器は、物理的に、撮像検出器が置かれているところの前面または背後の空間を占めることができないからである。そんなことをすれば、撮像検出器を隠蔽してしまう。
【００７９】
図１に示されるように、参照部分１１２は最小（αmin,REF）および最大（αmax,REF）の取り出し角をもつ。参照部分の取り出し角は、基面１１４を基準に測られる、焦点スポットに位置される頂点からの仰角として定義される。
【００８０】
参照部分の境界を定義する最小の取り出し角および参照取り出し角があることが理解されるであろう。最小の参照取り出し角を最大の参照取り出し角から引くと、ファン角β′が得られる。
【００８１】
やはり図１に示されるように、主要部分も最小および最大の取り出し角をもつ。同様に、主要部分の最大および最小の取り出し角が互いに減算されて、主要ファン角βを得ることができる。参照部分ファン角β′が参照検出器１０８の面積および焦点スポット１０４の面積に関係していることが理解されるであろう。同様に、主要部分のファン角βが焦点スポットの面積および最終的な撮像検出器の面積によって定義されることも理解されるであろう。
【００８２】
参照部分の最小取り出し角（αmin,REF）および主要部分の最小取り出し角（αmin,MAIN）が等しいことが本発明の本質的な側面である。同様に、参照部分のファン角β′が主要部分のファン角βに等しいことが本発明の本質的な側面である。これは、陽極表面が平面（たとえば曲がっていないまたは他の仕方で歪んでいない）として近似できるとすると、（極対称性のため）スペクトルが陽極表面との取り出し角にのみ依存するからである。したがって、先の条件が満たされる限り、参照部分は、有用なビームの外部の任意の位置に置いて取り出されることができる。
【００８３】
電子が回転陽極に衝突する際、X線が生成される。医療X線およびタングステン標的について、管電圧に依存して、電子の相互作用の平均深さは2ないし10マイクロメートルの間である。したがって、X線は回転陽極標的の素材を通り抜ける必要がある。回転陽極のまわりの強度分布は「ヒール効果（heel  effect）」を示す。その特性は、陽極の陰に近い光子フラックスの欠如である。これは、図５のＢにおいて例示される。陽極の表面は、焦点スポットの熱サイクリングのために粗くなる。粗さは、10ないし100マイクロメートルの範囲にあることができ、粗くなる効果は、管が加齢するとともに悪化する。これは相応してヒール効果の増大を引き起こす。この効果が悪化するレートは管パワーが増すにつれて増大する。したがって、X線ビームの光子フラックスおよびスペクトルは、取り出し角、管履歴および回転陽極管ではさらに方位角平面を通じた陽極回転の位相にも依存する。電子ビームを通って進む陽極材料の局所的な条件が時間的に変化するからである。
【００８４】
ある例示的実施形態では、参照フィルタ１０６は、撮像されるべきオブジェクト（たとえば患者）を最終的に通過するX線の主要部分におけるのと同じ型であることを注意しておく。参照部分の最小取り出し角およびファン角は、主要部分の最小取り出し角およびファン角に等しく、参照部分からのX線が主要部分からの放射と同じ型のフィルタを通っていることになるので、参照検出器１０８に到達するビーム品質の劣化は、主要ビームにおける検出器に到達するビーム品質の劣化と等しい。これについてはこれ以上示さない。
【００８５】
ある代替的な実施形態では、参照フィルタ１０６は、主要部分において使われるフィルタとは異なる型のものである。
【００８６】
したがって、参照ビームは、X線管の回転陽極の条件についての追加的な情報を提供し、それが、主要部分を使って撮像される画像情報を補正するために使用されることができる。この構成は、X線管１０２によって引き起こされるX線ビームにおける変動が、測定され、補正されることを許す。参照検出器は参照部分からのX線を検出し、該X線は主要ビームと参照ビームの取り出し角およびファン角の等しい値のため、たとえば撮像されるべきオブジェクト（患者）を照射するために使用できるX線の主要部分と同じスペクトル特性をもつからである。
【００８７】
参照検出器１０８は、瞬時フラックスのスペクトルを検出できる、エネルギー分解する光子カウンタを有していてもよい。光子計数検出器において、X線光子は個々に計数され、それらのエネルギーが測定される。個々の光子を計数するために、直接変換材料および高速計数ASICが使われ、直接変換材料において個々のX線光子によって形成された電荷雲の処理を可能にする。光子計数は、より低い線量を使うことを許容することが知られている。計数は、電子的なノイズにそれほど敏感ではないからである。むろん、参照検出器のために、通常のシンチレーター光検出器検出手段のような、他のX線検出技術が使われることもできる。
【００８８】
図示した実施形態において、参照検出器は二次元ピクセル・マトリクスであることは理解されるであろう。しかしながら、代替的な実施形態では、参照検出器は、ピクセル・ライン・アレイであることができる。ライン・アレイは単に、参照部分の一つの平面を横断してX線フラックスを測定する。
【００８９】
本発明のある例示的実施形態によれば、X線管収容アセンブリー１３２は、複数の参照ビームを有する。この場合、各参照ビームは、測定レジームに応じておよび／または参照ビームの品質パラメータを最適化するために電子的に選択されることができる参照検出器１０８を有していてもよい。
【００９０】
本発明のある例示的実施形態によれば、参照検出器は、主要部分を測定するために撮像側で適用される検出器と同じ型である。参照ビーム（単数または複数）におけるフィルタが主要部分を測定するために撮像側で適用される検出器と同じ型であり、撮像および参照検出器側の検出器も同じであれば、参照検出器１０８において受領される参照信号が主要ビームをより正確に特徴付けることになる。
【００９１】
本発明のある例示的実施形態によれば、参照検出器の一部または参照検出器全体が、X線フィルタおよび減衰器の組み合わせの背後に位置される。ある例では、単一のフィルタ値が使用できる。しかしながら、異なる値の諸フィルタおよび諸減衰器の諸組み合わせが規定されることもできる。そのような例についてはのちに述べる。
【００９２】
典型的には、参照検出器は焦点スポットから5ないし10cmの間だけ離れて位置される。つまり、参照検出器に到達するX線は、主要部分によって撮像されるべきオブジェクトの背後に置かれた撮像検出器に到達するX線フラックスより、かなり多くのX線フラックスをもつことになる。
【００９３】
したがって、本発明のある代替的な例示的実施形態では、この効果を考慮に入れるために減衰器が挿入されてもよい。減衰器は、電圧のような変化する技法因子にもかかわらずよく照射される検出器のラインの適正な選択を許容する。
【００９４】
参照検出器１０８は、高い周波数で源のスペクトル特性をサンプリングできることは理解されるであろう。そのような周波数は、回転陽極の角回転速度に関係している。現代の回転陽極管では、標準的な回転数は3000回転毎秒から12000回転毎秒までの間の範囲であることができる。通過する陽極材料上での電子ビームの特徴的な滞在時間は数十マイクロ秒の範囲である。したがって、源のスペクトル特性のサンプリングは、この周波数に対応し、それにより参照ビームから有用な情報が導出できる。
【００９５】
そのような高い周波数でスペクトルにおいて検出可能な変動は、高い強度で回転陽極に電子ビームが繰り返し当てられることによる回転陽極の表面に引き起こされる穴や傷により生じうる。
【００９６】
ある代替的な実施形態では、あるいはそのような欠陥の追跡に加えて、参照検出器は、回転陽極の加熱によって引き起こされる熱効果をも検出してもよい。回転陽極の加熱は、露出の間の電子ビームの適用後数秒の時間フレームにわたって起こることが期待されうる。加熱は、回転陽極に幾何構成を変えさせる。
【００９７】
したがって、放出されたX線フラックスは、しかるべく主要部分および参照部分を通じたトラックを動かす。この効果は、追跡されてもよく、それにより、補正されることができる。参照部分は主要部分と同じ回転陽極から取られているので、参照部分の取り出し角およびファン角が主要部分の取り出し角およびファン角に等しいという想定のもとでは、参照部分を横断したX線フラックスの動きとして表出する回転陽極の熱修正によって引き起こされる不都合な効果は、主要部分において補償されることができ、実際、露出の継続時間にわたって追跡されることができる。補償は、X線管における電子ビーム偏向手段を通じて、あるいは生の投影データからの画像の再構成（後処理）の間に数学的に、あるいはその両方で、与えられることができる。
【００９８】
むろん、回転陽極の熱的加熱に起因する焦点スポット位置の変動の補正は、X線管内の制御ループおよびさらなるビーム位置決め電極を使ってリアルタイムで実行されてもよく、あるいはまた、焦点スポット位置の変動は、露出後に、参照信号の記録されたバージョンを使って画像の後処理において補正されてもよい。
【００９９】
あるさらなる例示的実施形態によれば、参照X線窓１３４および主要X線窓１３６を有するX線管収容アセンブリー１３２が提供される。それにより、動作では、参照X線窓１３４は参照ビーム１３８を与え、主要X線窓１３６は主要ビーム１４０を与える。図２が上から見た回転陽極１０２を示していることが見て取れるであろう。回転陽極はX線管１０２の内部に含まれる。回転陽極１３０は、図２において円形の点線によって区別される斜角面にされた側面を有していてもよい。斜角面は、要素１４２としても示されている。陰極（この図には示していない）は、焦点スポット１０４において回転陽極の斜角面にされた側面に与えるよう、電子のビームを放出し、それにより、X線を放出させる。「ヒール効果」のため、放射は、広い領域にわたって生成されることは理解されるであろう。この放射の一部が図２では陰を付けた領域によって示されている。
【０１００】
先述したように、焦点スポット１０４から放出される放射は、少なくとも参照部分１１２および主要部分１１０に分けられると考えられてもよいこと、参照検出器および患者検出器が共通の取り出し角およびファン角を使ってX線をサンプリングする限り、参照部分におけるスペクトル特性と主要部分におけるスペクトル特性が同じになることは理解されるであろう。
【０１０１】
図２に示されるように、X線管１０２は、少なくとも主要窓（開口）１３６および参照窓（開口）１３４を例外として、X線に対して不透明であるX線管収容部〔ハウジング〕１３２によって囲まれている。主要窓１３６および参照窓１３４は、主要部分および参照部分のX線をそれぞれ主要ビーム１４０および参照ビーム１３８に整形する。したがって、当技術分野において開口としても知られるこれらの窓は、X線を参照検出器および撮像されるべきオブジェクト（患者）に向けるためのよく定義されたビームを形成する。
【０１０２】
当業者の読者は、ビームがそのように定義されることは本質的ではないことを理解するであろう。実際、先に論じた条件、すなわち参照部分が主要部分と等しい取り出し角をもち、参照部分が主要部分と等しいファン角をもつということが満たされる限り、参照部分は主要部分からの情報を補正するために使用されうる。
【０１０３】
図３のＡは、上からの回転陽極を示している。この場合、主要ビームは焦点スポット１０４から回転陽極の外側の方向に放出され、参照ビーム１３８は焦点スポットから主要ビーム１１０とは反対方向に、X線管の内側に向かって放出される。これは、原理において、参照ビームの参照部分１１６の最小取り出し角が主要部分１１０または参照ビーム１４０の最小取り出し角に等しく、かつ参照部分１３８と主要部分１４０のファン角βが等しい限り、参照ビームまたは参照部分の位置決めは柔軟であることを示すことが意図されている。
【０１０４】
図３のＢはさらに、ある例示的実施形態に基づく本発明の幾何学的側面を示している。基面１１４は焦点領域と共平面であり、方位角は焦点スポットの中心を通る焦点領域への法線として定義される。基面１１４に直交して、入射する電子ビーム１４４を表わす線がある。１０４には、電子ビームが回転陽極に当たる焦点スポットの位置を表わす頂点がある。図の左側には、中線および参照部分の広がりを定義する外側線１４８がある。したがって、角度αmin,REFは参照ビームまたは参照部分の最小取り出し角である。角度αmax,REFは参照部分の最大取り出し角である。これらの角は基面１１４を基準として測られる。αmin,REFをαmax,REFから引くと、βREFが与えられる。同様の定義は、図３のＢに示されるように、主要部分または主要ビームの角度に当てはまる。主要部分または主要ビームおよび参照部分または参照ビームの位置のさらなる例が図４に示されている。
【０１０５】
図４は、図３のＡでも論じた、回転陽極１３０を見下ろす上面図である。この場合、参照ビームまたは参照部分１１２および１３８は焦点スポット１０４のまわりの任意的な諸位置に示される。これらが参照部分または参照ビームについての任意的な位置であり、参照ビームもしくは部分の最小取り出し角が主要ビームもしくは主要部分の最小取り出し角に等しく、かつ参照ビームもしくは部分のファン角が主要ビームもしくは部分のファン角に等しい限り、使用されうることが理解されるであろう。
【０１０６】
ある実施形態によれば、複数参照検出器１０８が与えられる場合、複数参照ビームが使われてもよい。
【０１０７】
参照ビームもしくは参照部分の正確な形は参照検出器またはX線収容部の窓１３２の位置および形状にそれぞれ依存する。
【０１０８】
図５のＡに示されるさらなる例示的な例では、斜角面にされた側面をもつ回転陽極１３０が断面図で示されている。陰極１２８は斜角面にされた側面に電子のビームを加える。電子の急激な減速によりX線が陽極上方のあらゆる方向に放出される。X線が斜角面にされた側面において物質を通って異なる距離を貫通するという事実のため、X線の放出はランダムであり、図５のＢに示される半球状の強度分布が引き起こされる。焦点トラック表面に関してより大きな角度では等方的でありヒールにおける小角度では急激に低下する、焦点トラックの表面上方のこの腎臓型の強度分布１５０は、「ヒール効果（heel  effect）」と称される。
【０１０９】
図５のＢに示されるように、主要部分および参照部分は腎臓型のヒール特性１５０および１５１において定義される。
【０１１０】
ある代替的な実施形態では、代替的な参照幾何構造が考慮されてもよいが、これは関わっている物理的な原理には影響をもたず、単に円錐台状の（斜角面をもつ）陽極が使われるときに幾何構造を議論するより便利な方法であることは理解されるであろう。図６は、斜角面にされた側面上に位置される焦点スポットをもつ回転陽極１３０を示している。主要部分１１０および参照部分１１２は焦点スポット１０４から放出される。
【０１１１】
図７は、図１において定義され、関連する記述において記述されたのと同じであるX線管収容アセンブリー１３２に、参照フィルタと参照検出器１０８の中間に位置された減衰器１５８を加えたものの例を示している。
【０１１２】
減衰器１５８は、焦点スポットから撮像されるオブジェクト（および像側検出器）までと焦点スポットから参照オブジェクト１０８までとの近接性の差によって引き起こされるX線フラックスの差を補償する。参照検出器１０８を飽和させることを避けるために、光子フラックスは減衰器によって低減される。
【０１１３】
減衰器は低原子番号をもつ材料、たとえば炭素、ベリリウムまたはテフロン（登録商標）から構成される。これらの材料は低いX線濾波（filtration）効果をもつが、有意なX線減衰効果をもつ。
【０１１４】
このように、参照検出器１０８における光子計数器または他の検出器のピクセルにおける積み上がり（pile-up）、よって飽和が防止され、こうしてX線フラックス、ひいては管電圧、電流、空間X線特性およびスペクトルが正確に検出できる。
【０１１５】
あるさらなる例示的実施形態によれば、X線管収容アセンブリー１３２は、露出と露出の間に交換されることができる参照フィルタ１０６を有していてもよい。交換は、X線管収容アセンブリー１３２内の参照フィルタ・スライドを変えることによってオペレーターによって手動で実行されてもよい。
【０１１６】
さらに、参照フィルタ１０６の交換は、フィルタ・ホイールまたは線形フィルタ・スライドのようなフィルタ変更機構によって自動的に実行されることができる。
【０１１７】
異なる測定レジームは、たとえば撮像されるべきオブジェクトの体積に依存して、異なる露出パワーを使う。オブジェクト撮像フィルタの交換により、患者線量を最小にしつつ受け入れ可能なオブジェクト画像が記録されることが許容される。
【０１１８】
先述したように、撮像側のフィルタが参照フィルタ１０６にマッチし、それにより参照ビームおよび主要ビームが可能な限り同一の条件に曝露されることが本発明のある実施形態の一つの側面である。したがって、撮像されるオブジェクトに応答して撮像フィルタが変更されることができることが構想される任意のシステムにおいて、参照フィルタ１０６を交換するための備えがあるべきである。
【０１１９】
代替的な実施形態によれば、参照フィルタ１０６は撮像側で使われるフィルタとは異なっていてもよい。X線管と参照検出器および撮像側との間の異なる距離によって引き起こされるX線フラックスの差を補償するためである。
【０１２０】
減衰器１５８は、その背後の参照検出器１０８のそれぞれのピクセルにおける積み上がりを避けるはたらきをする。適切な計算が適用されたあとの参照検出器からの信号は、患者後の検出器からのデータを補正するための参照である。患者後の検出器からのデータは、患者がX線フラックスの強度を低下させるため、過剰放射を受けない。
【０１２１】
図８は、上からの、斜角面にされた端１４２をさらに有する参照陽極１３０の一部を示す、先述した実施形態のさらなる例示的な例である。焦点スポット１０４からは、主要部分１１０および参照部分１１２が放出され、これらも図示しない収容部における開口によって主要ビームおよび参照ビームに整形されてもよい。参照部分の経路には、参照フィルタ１０６、減衰器１５８および最終的には参照検出器１０８がある。
【０１２２】
図９は、参照検出器１０８と減衰器１５８との中間に位置され、さらに焦点スポットに焦点を合わされている散乱防止グリッド１６０を有するX線管収容アセンブリー１３２の例を示すさらなる例示的実施形態を示している。散乱防止グリッド１６０は金属の葉またはシートからできていてもよい。散乱防止グリッドの機能は、減衰器を出た後に参照ビームを集束することである。散乱防止グリッドは、焦点スポットから直接放出されたビームのみが参照検出器に入射することを許容する。
【０１２３】
図１０は、動作中の散乱防止グリッド１６０をさらに示している。図１０は、斜角面１４２および焦点スポット１０４をもつ回転陽極１３０の一部を見下ろす図を示している。焦点スポット１０４から主要部分１１０および参照部分１１２が放出される。次いで参照部分１１２は参照フィルタ１０６および減衰器１５８を通過する。参照フィルタおよび減衰器の散乱効果により、１５６と１６０の間の線１６２によって示されるように、参照ビームのX線が散乱される。散乱されたX線が参照検出器まで通されたとしたら、回転陽極の不完全性によって直接引き起こされたのでない望ましくないアーチファクトが参照信号に残り、よって参照信号から計算された信号を使って補正された任意の画像の品質を損なうことがある。
【０１２４】
したがって、減衰器１５８と参照検出器１０８との中間に設けられる散乱防止グリッドは、散乱された放射が参照検出器１０８に達することを防止する。
【０１２５】
本発明のある例示的実施形態によれば、図１１のＡは、X線管収容アセンブリー１３２において使うための一次元焦点スポット・スリット・カメラを示している。
【０１２６】
一次元焦点スポット・スリット・カメラはさらに、X線ブロッカー１７０を有する。X線ブロッカー１７０は、空間解像スリット１６４を有しており、よって参照検出器１０８と一緒になって、参照ビームの強度分布の端から焦点スポット１０４の位置を検出するための一次元焦点スポット・スリット・カメラ１７４を形成するよう構成されている。
【０１２７】
X線ブロッカー１７０は典型的には、スリットをもつ金属シートを使って実装される。ただし、X線に対して不透明な任意の材料がX線ブロッカーを形成できることは理解されるであろう。
【０１２８】
あるさらなる実施形態によれば、X線ブロッカーは追加的または代替的に不透明なワイヤ（単数または複数）を有していてもよい。
【０１２９】
あるさらなる実施形態によれば、X線ブロッカーは追加的または代替的に、空間解像スリットおよびワイヤの組み合わせを有していてもよい。
【０１３０】
あるさらなる実施形態によれば、一次元焦点スポット・スリット・カメラは、参照検出器上に所望されるスペクトルを生成するために追加のX線フィルタを有していてもよい。
【０１３１】
二次元ピクセル・アレイ１６８がX線ブロッカー１７０の背後に位置される。図１１のＢに示されるように、減衰器におけるギャップ１６４の下にある二次元ピクセル・アレイ１６８のエリアは、X線管収容アセンブリー１３２の焦点スポットへの直接的な視線をもつ。したがって、一次元焦点スポット・スリット・カメラは、一方向の焦点スポットの相対的な変位位置を測ることができる。
【０１３２】
さらに、一次元焦点スポット・スリット・カメラはフィルタ減衰器１６５を有していてもよい。フィルタ減衰器１６５は炭素、ベリリウムまたはテフロン（登録商標）のような低原子番号をもつ材料のシートである。これらの材料は低いX線濾波効果をもつが、有意な減衰効果をもつ。フィルタ減衰器は、先の実施形態と同様に、X線源からの過剰な光子フラックスを低減するために必要とされる。さらに、参照ビームのファン角方向を横断したスペクトル特性は、いまだ一次元スリットを用いて測られることができる。焦点スポット位置情報は、スリット・エリア内のピクセルから導出されることができる。ビーム・スペクトル情報または光子フラックスは、いまだ、スリット・エリアの下にないピクセルから導出されることができる。
【０１３３】
スリット１６４の下の諸中心ピクセルは高い全光子フラックスでの過剰放射を受けることがありうるものの、焦点スポットはスリットより幅広く、十分に読み取り可能な信号をもつピクセルがあり、それにより強度分布の端から一次元方向における焦点スポットの位置の検出が許容される。
【０１３４】
焦点スポットの位置が強度分布の端のみから導出される必要はないことは理解されるであろう。
【０１３５】
代替的な実施形態によれば、参照検出器１０８によって検出された参照ビームの強度分布のパターンの解析がコントローラによって実行されてもよい。この解析を使って、焦点スポットの位置が追跡されてもよい。異なる強度の諸エリアを焦点スポット位置に解像することのできるいかなる好適な解析方法が使われてもよい。あるいはまた、コントローラは、解析が後処理において実行されうるよう前記パターンを出力してもよい。
【０１３６】
本発明のあるさらなる例示的な実施形態によれば、強度分布のパターンが強度分布の端として定義されてもよい。
【０１３７】
ある例示的実施形態によれば、ピクセル・アレイ１６８は一次元ピクセル・ストリップで置換され、一次元方向のみにおいて焦点スポットの位置の逸脱を検出し、ビームの他のエリアからスペクトル情報を導出しない、より基本的な検出器において使われることができる。
【０１３８】
本発明のある実施形態によれば、X線管アセンブリーは、空間解像ストライプをなすために参照検出器の前面に置かれた不透明なワイヤを設けられることができる。こうして、空間解像ストライプは、参照検出器と一緒になって、強度分布のパターンから焦点スポットの位置を検出するよう構成されることができる。
【０１３９】
本発明のあるさらなる実施形態によれば、X線管収容アセンブリー１３２の例が、X線ブロッカー１７０において二つの空間解像スリット１７６、１７８を設けられてもよい。これらの空間解像スリットは、二次元焦点スポット・スリット・カメラ１８０を形成するよう直交して位置される。該二次元焦点スポット・スリット・カメラ１８０は、動作において、測定された参照ビームのパターンから焦点スポットの位置を検出するよう構成される。
【０１４０】
この実施形態の第一の代替が図１２のＡに示されている。図１１のＡにおいて開示され先に述べた一次元焦点スポット・スリット・カメラが、さらなる一次元焦点スポット・スリット・カメラの隣に位置される。これらのカメラは図１１のＡで述べた焦点スポット・スリット・カメラと同じ構成である。各一次元焦点スポット・スリット・カメラは、ピクセル・アレイ１６８の前面に位置されたX線ブロッカー１７０を有する。各X線ブロッカーは中央スリット１６４をもつ。
【０１４１】
二次元焦点スポット・スリット・カメラの第一の代替によれば、二つの一次元焦点スポット・スリット・カメラが隣り合わせに配置され、第一のカメラのスリット１７６が第二の一次元焦点スポット・スリット・カメラのスリット１７８と垂直であってもよい。当業者は、図１２のＡの配置は単に例であり、スリット１７６とスリット１７８が互いに直交である限り、第二の一次元焦点スポット・スリット・カメラは第一の一次元焦点スポット・スリット・カメラの他の三つの側部のどれに位置されてもよい。
【０１４２】
図１２のＡに示した実施形態では、回転陽極の側面に沿った動径方向および軸方向における焦点スポットの変動が検出されることができる。さらに、ビーム全体を横断するスペクトル情報が検出されることができる。そのような配置は、焦点スポットの位置およびサイズを検出できる。換言すれば、ファン・ビームを横断して位置される二つの直交するスリット・カメラの存在が、方位角に沿ったおよび方位角の上下の焦点スポットのドリフトが検出できるようにし、それにより焦点スポットの位置が二次元的に同定できる。
【０１４３】
代替的な実施形態が図１２のＢに示されている。この場合、焦点スポット・スリット・カメラは、二次元ピクセル・アレイ１６８の一つだけを使って提供される。二つの直交するスリットはこの場合、X線ブロッカー１７０を先述したように取り、第一のスリットに直交する追加のスリットを加えることによって、単一のピクセル・アレイ１６８の上方に設けられる。正しい位置決めにより、そのような単一の二次元焦点スポット・スリット・カメラが、図１２のＡに開示された実施形態におけるように二つの検出器を使う必要なしに、焦点スポットの動径および軸方向位置を検出しうることは理解されるであろう。このようにして、焦点スポットの位置の検出はより効率的に実行されることができる。二つの二次元ピクセル・アレイ１６８を提供する必要はない。
【０１４４】
図１３のＡは、動作における二次元焦点スポット・スリット・カメラの前記第一の代替を示している。線１８０は、該二次元焦点スポット・スリット・カメラに入射するX線ビーム・パターンのエネルギー輪郭を表わす。この輪郭の形状は、焦点スポットの形状および位置に依存する。
【０１４５】
回転陽極上での焦点スポットの純粋に動径方向の逸脱は、主要ビームおよび参照ビームの仰角における相応する変化を引き起こす。これは、二次元焦点スポット・スリット・カメラ上に投影される。図１３のＡの二次元焦点スポット・スリット・カメラの左部分は、そのような動径方向の逸脱を、X線ビームの輪郭の検出器の上下方向への動きとして検出する。
【０１４６】
同様に、軸方向における回転陽極上での焦点スポットの純粋に軸方向の逸脱は、輪郭の横方向の逸脱につながり、それは図１３のＡの右側のカメラによって検出できる。
【０１４７】
二次元焦点スポット・スリット・カメラの注意深い位置決めにより、焦点スポットの位置における任意の逸脱が検出されることができる。
【０１４８】
図１３のＢは、動作における二次元焦点スポット・スリット・カメラ設計の前記第二の代替を示している。ここでもまた、ビーム輪郭１８０が二次元焦点スポット・スリット・カメラの前記第二の代替に重畳されて示されている。先述したのと同じプロセスが、二次元焦点スポット・スリット・カメラの表面上の輪郭の同様の逸脱を生じさせ、それがやはりピクセル・アレイ１６８によって検出されることができる。
【０１４９】
あるさらなる実施形態によれば、X線管収容アセンブリー１３２の前記参照フィルタは、異なるフィルタ値をもつ複数のフィルタ１８５（１８５；A,B,C）をもつ参照フィルタ１０６をもち、一次元もしくは二次元参照スポット・スリット・カメラは、それぞれある範囲の異なる減衰器値をもって構成されているさらなる複数の減衰器１８４（XおよびY）を有する。それにより、スリット・カメラの前記参照検出器は、減衰器およびフィルタ値の複数の組み合わせの背後で参照ビームを検出する。
【０１５０】
図１４では、複数のフィルタおよび減衰器をもつ焦点スポット・スリット・カメラの配向が、カメラの配向を示す軸に関して示されている。減衰器およびフィルタの配置が仰角方向において参照ビーム全体をカバーすることが見て取れる。すなわち、検出器は、ピクセル・アレイが仰角αmin,REFおよびαmax,REFに交わり、ピクセル・アレイがファン角β全体にわたって照射されるよう、位置される。
【０１５１】
（基面内の）方位角方向φでは、フィルタおよび減衰器値の諸組み合わせの範囲がX線参照ビームによって照射される。方位角方向では、先述した焦点スポット・スリット・カメラにおけるように、スリット１６４が存在する。したがって、ファン・ビームβ全体をカバーするフィルタおよび減衰器の諸組み合わせが提供される。M個の異なるフィルタ１８５とN個の異なる減衰器１８４とのMかけるN通りの組み合わせがありうる。先述したように、撮像のために使われる主要ビームにおける諸フィルタは、変更可能である。この実施形態によれば、主要ビームにおいて使われる各可能なフィルタについて、参照ビームによって照射される対応する参照フィルタがある。図１４では、文字A、BまたはCがフィルタ値を表わし、文字XまたはYが減衰器値を表わす。
【０１５２】
X線源からの光子フラックスがX線システムの適用プロトコルに応じて変わりうるので、追加的な減衰器値が提案される。この解決策は、過剰放射されも過小放射されもしない、参照ファン・ビームβ′に沿って位置される参照検出器のよく照射されるライン・アレイが常にあることを保証する。その際、よく照射される検出器ラインはコントローラによって選択されることができる。
【０１５３】
したがって、追加的な減衰器は、広く変動する技法因子にもかかわらず、よく照射される検出器のラインの適正な選択を許容する。
【０１５４】
ある実施形態によれば、スペクトル情報が、いまだ、現在の測定技法因子に関係しないフィルタ値によってカバーされるピクセルから導出されうる。ただし、この場合、異なるフィルタおよび減衰器値の組み合わせについて斟酌することがコントローラによって必要とされる。
【０１５５】
本発明のあるさらなる実施形態によれば、X線管収容アセンブリー１３２であって、フィルタ（A,B,C）および減衰器の組み合わせ（X,Y）が参照ファン・ビームβ′全体をカバーするものが提供される。使用されるビームにおける各可能なフィルタについて、参照ビームにおける対応するフィルタがある。スペクトルはビームの幅を横断して測定されることができる。
【０１５６】
あるさらなる例示的実施形態によれば、X線管収容アセンブリーであって、複数の一次元または二次元焦点スポット・スリット・カメラを有するものが提供される。それらのカメラは一緒になってマルチ・スリット焦点スポット・カメラをなす。前記複数の一次元または二次元の焦点スポット・スリット・カメラのスリットのうち少なくとも第一および第二のスリットが、参照検出器１０８のピクセル境界に対してオフセットされている。
【０１５７】
この実施形態は、（撮像されるべきオブジェクトと焦点スポットとの間のより大きな距離に比べて）参照検出器と焦点スポットとの間のずっと小さい距離が考慮に入れられるとき、参照検出器１０８のピクセルが比較的幅広いピッチを有することがありうるという事実を考慮に入れる。
【０１５８】
この実施形態は、一次元または二次元のスリット・カメラ実施形態に適用されうる。キーとなる発想は、少なくとも一つのスリットが検出器１０８のピクセル境界に対してオフセットしているということである。
【０１５９】
源に近い大きなピクセル幅をもつピクセルを使うために、焦点スポット・カメラのスリットは検出器ピクセルの境界近くに位置されるべきである。
【０１６０】
このようにして、焦点スポットの動きが、両方のピクセルの間の信号比の変化として、検出されることができる。複数の一次元または二次元焦点スポット・スリット・カメラが設けられ、各スリットが背後の検出器ピクセルの位置に関してスリットの異なる相対位置をもつ場合には、さまざまな実際的な位置において焦点スポット位置を測定することがより容易である。焦点スポットの動きに対して最も高い感度をもつ「サブカメラ」が選択される。サブカメラの諸出力は、隣接する検出器ピクセルの間の信号の比だけ異なる。
【０１６１】
図１５は、この実施形態に基づく三つの一次元焦点スポット・スリット・カメラを示している。この実施形態の参照検出器１０８は、比較的大きなピクセル・ピッチをもつ。X線ブロッカー１９０ａは、中央ピクセル行の上の境界近くのスリットをもつ。X線ブロッカー１９０ｂは、参照検出器の中央ピクセル行の中央に近いスリットをもつ。X線ブロッカー１９０ｃは、参照検出器の中央のピクセル行の下の境界近くのスリットをもつ。
【０１６２】
本発明のあるさらなる例示的実施形態によれば、複数のスリットが参照検出器の前面に置かれることができる。これら複数のスリットは背後のピクセル境界に対して異なる空間位置をもち、よって「マルチ・スリット焦点スポット・カメラ」をなす。静止している焦点スポットの中心から取られる各スリットの投影は、検出器ピクセルの間の根底にある境界線に対する異なる位置に位置される。換言すれば、検出器ピクセル・ピッチは、焦点スポットから検出器に投影されたスリット・ピッチとは異なりうる。
【０１６３】
焦点スポットの動きまたは変化する形状に対し、これら複数のスリット・カメラは、異なる信号比を生成し、それらが出力される。最適な信号比が歪みの検出のために使用されてもよい。
【０１６４】
あるさらなる例示的実施形態によれば、X線管収容アセンブリー１３２のコントローラ１２４は、少なくとも一つの参照検出器１０８の少なくとも一つの出力１２５から、スペクトル変動性、管電圧、焦点スポットの位置、焦点スポットのサイズ、焦点スポットの強度、管電流、管加齢、動的陽極回転不安定性、周期的陽極回転不安定性、焦点スポットの位置もしくは形状の磁気歪みおよび焦点スポットの形状もしくは位置の重力歪みからなる群からの少なくとも一つのパラメータを計算するよう構成される。
【０１６５】
この実施形態によれば、回転陽極損傷によって通例引き起こされる、高い周波数で発生する回転陽極の不完全性を考慮に入れることができる、スペクトル検出のための較正信号が計算されることができる。参照ビーム全体にわたるスペクトル検出は、同じ源から取られる主要ビームから導出される画像を補正するために使用できる。
【０１６６】
さらに、主として回転陽極における加熱に起因する、よりゆっくりしたレートで生じる変化が追跡されてもよい。こうして、主要ビームから検出され、再構成された画像において、焦点スポットのドリフトが補償されうる。さらに、陽極加熱に起因する焦点スポットの動きを定義する信号も閉ループ制御システムにフィードバックされてもよい。この信号は、焦点スポット・ドリフトを補正するためにX線管内部の電極または磁気双極子のような追加的な位置決め手段を使って、電子ビームの方向を補正しうる。
【０１６７】
本発明のある実施形態によれば、過剰なフラックスまたは積み上がりの補正は、投影データの補正のための参照検出器ピクセルを選択することによって実行されてもよい。投影データは、それについて当該データが補正されなければならないところの主要ビーム後のピクセルへと同様のフラックス・レートを、減衰器のため、経験する。
【０１６８】
この場合、参照検出器ピクセルまたはピクセル群が主要ビームからのデータの補正のために選択される。このピクセルまたはピクセル群は、それについて当該データが補正されなければならないところのピクセルと同じ取り出し角に位置されるべきである。
【０１６９】
このアプローチの恩恵は、スペクトル検出のためのコンパクトな高い周波数の較正信号、トラック浸食およびアーク生成によって引き起こされる管加齢の検出および焦点スポット特性が検出できることである。1mA以下でありうる小さな管電流は、X線管収容アセンブリー１３２において測定されることができる。X線生成に寄与しない電流は除外される。さらに、現状技術において必要とされるようなかさばる抵抗性の分圧器が必要とされない。
【０１７０】
この測定システムのもう一つの利点は、焦点を外れた電界放出（off-focal  field  emission）、ケーブル絶縁の伝導および分極ならびにX線管内での微小放電といった、寄生的な劣化効果が定量化できるということである。
【０１７１】
さらに、検出ユニットが源に取り付けられるので、信号伝達のための十分なX線フラックスがある。さらに、参照ビームは、主要ビームより著しくよい信号対雑音比（SNR）をもちうる。
【０１７２】
先に論じたように、空間解像アレイ検出器と組み合わされる場合、本ユニットは、並列に焦点スポット・サイズおよび強度分布をも測定し、キー・パラメータ、焦点スポット・サイズおよび管電流の安定化を許容することができる。
【０１７３】
先述した実施形態に基づくX線管収容アセンブリー１３２は、標的オブジェクトの背後で記録された主要ビームにおける投影されたデータを較正することができる。
【０１７４】
本発明のあるさらなる例示的実施形態によれば、X線管収容アセンブリー１３２は、X線管収容アセンブリー１３２の真空管内に参照フィルタ１０６および参照検出器１０８を含んでいてもよい。
【０１７５】
参照検出器および参照フィルタを真空管内に配置することにより、参照ビーム配置がよりコンパクトにできる。
【０１７６】
本発明のある例示的実施形態によれば、上記のいずれかの請求項記載のX線管収容アセンブリーであって、複数の参照ビームが提供され、前記複数の参照ビームのそれぞれが参照検出器に関連付けられ、前記管収容アセンブリーが、動作において、前記複数の参照ビームからの信号を選択するまたは組み合わせるよう構成されている、ものが提供される。
【０１７７】
本発明のあるさらなる例示的実施形態によれば、X線管収容アセンブリー２０２と；変更可能なオブジェクト前のX線フィルタ２０４と；オブジェクト後の検出器２０６と；処理ユニット２０８とをもつX線撮像システム２００が提供される。X線管収容アセンブリー２０２は、先述した実施形態の一つに基づくX線管収容アセンブリーである。オブジェクト前のX線フィルタ２０４は、X線管収容アセンブリー２０２における少なくとも一つの参照フィルタ値にマッチする。オブジェクト後の検出器２０６は、X線管収容アセンブリー２０２内の参照検出器１０８と同じ型である。さらに、処理ユニット１２４、２０８は、X線管収容アセンブリー２０２、１００からの信号を受領し、それらをオブジェクト後の検出器２０６からのデータを補正するために使う。
【０１７８】
この実施形態では、参照ビームは、撮像のために使われる主要ビームと同じ要素にさらされる。換言すれば、X線管収容アセンブリー２０２の参照フィルタは、オブジェクト前のX線フィルタ２０４にマッチする。さらに、X線源１００内の参照検出器１０８の検出器型は、オブジェクト後の検出器２０６と同じ設計である。処理ユニット２０８は、撮像されるオブジェクト２１０の背後の主要ビームから受領されるデータを較正する。補正は、過剰なフラックス・レートを考慮に入れる（積み上げ（pile-up）補正）。ここで、それについてデータが補正されなければならないところの患者後ピクセルと同様のフラックス・レートを減衰器の背後で経験する投影されたデータの補正のために、参照検出器ピクセルが選択される。
【０１７９】
撮像されるべきオブジェクトによって影響されない参照ビームを取り、該参照ビームから、オブジェクト後の検出器によって撮像されるべきオブジェクト２１０の背後から受領される信号の補正のために使われる信号を導出することとして要約できる先述した技法は、Cアーム撮像システムのみに適用される必要はないことは理解されるであろう。実際、原理的には、この技法は、X線を使う任意のシステムにも適用可能である。たとえば、マンモグラフィーX線、CTスキャナおよびX線透視システムはみなこの技法を使うことから恩恵を受けることができる。
【０１８０】
X線撮像システム２００の代替的な実施形態によれば、X線管収容アセンブリー２０２の参照フィルタはオブジェクト前のX線フィルタ２０４にマッチしない。
【０１８１】
この場合、撮像のためのオブジェクトおよび（参照検出器のX線管への近接性によって引き起こされる）ビーム・フラックスの差が補償されることができる。
【０１８２】
本発明のもう一つの例示的な実施形態によれば、X線管のX線放出特性の変化を判別する方法３００が提供される。本方法は、
・回転陽極上の焦点スポットに当たるよう陰極から電子を放出することによってX線放射を生成する段階。前記X線放射は主要部分および参照部分を含み、前記主要部分は前記参照部分とは相異なり、前記主要部分および前記参照部分は、基面（base  plane）を基準に測られる、焦点スポットにおける頂点からの仰角である最小（αmin,MAIN、αmin,REF）および最大（αmax,MAIN、αmax,REF）取り出し角（take-off  angle）の間にある。前記参照部分と主要部分の最小および最大取り出し角は互いに等しい。
・本方法は、次いで、参照フィルタを使って前記参照部分をフィルタリングする段階３０４を含む。
・次いで、前記参照部分を検出する段階３０６がある。
・本方法は次いで、前記参照部分の特性を表わす参照信号を出力する段階３０８を含む。
・次いで、本方法は、前記参照信号から信号を計算する段階３１０を含む。
・最後に、本方法は、前記信号を出力する段階３１２を含む。
【０１８３】
上記の生成する段階３０２は段階ａ）とも称される。フィルタリングする段階３０４は段階ｂ）とも称される。検出する段階３０６は段階ｃ）とも称される。参照信号を出力する段階３０８は段階ｄ）とも称される。計算する段階３１０は段階ｅ）とも称される。補正信号を出力する段階３１２は段階ｆ）とも称される。
【０１８４】
X線管収容アセンブリーによって引き起こされるX線の変動が測定され、補正されることができることが理解されるであろう。これはたとえば患者を照射するために使われることのできるX線の主要部分と同じスペクトル特性をもつX線の参照部分を検出する段階３０６のためである。これは、主要部分および参照部分が同じ源から取られ、源陽極の基面からの仰角およびファン角が同じだからである。
【０１８５】
本発明の諸実施形態は、種々の主題を参照して記述されていることを注意しておく必要がある。特に、いくつかの実施形態は方法型の請求項を参照して記述され、他の実施形態は装置型の請求項を参照して記述される。しかしながら、当業者は、上記および下記の記述から、特に断わりのない限り、ある型の主題に属する特徴の任意の組み合わせに加えて、異なる主題に関する特徴の間の任意の組み合わせも本願で開示されていると考えられることを理解するであろう。しかしながら、特徴の単なる寄せ集め以上の相乗効果を提供するすべての特徴が組み合わされることができる。
【０１８６】
本発明は図面および以上の記述において詳細に図示され、記述されているが、そのような図示および記述は制約ではなく例解または例示するものと考えられるべきである。本発明は開示されている実施形態に限定されるものではない。開示されている実施形態に対する他の変形が、図面、本開示および付属の請求項の吟味から、特許請求される発明を実施する際に当業者によって理解され、実施されることができる。
【０１８７】
請求項において、「有する／含む」の語は他の要素やステップを排除するものではない。単数表現は複数を排除するものではない。単一のプロセッサまたは他のユニットが請求項において記述されているいくつかの項目の機能を充足してもよい。ある種の施策が互いに異なる従属請求項において記載されているというだけの事実が、これらの施策の組み合わせが有利に使用できないことを示すものではない。請求項に参照符号があったとしても、範囲を限定するものと解釈するべきではない。
【図１】
2016529645.tif 000003
【図２】
2016529645.tif 000004
【図３ａ】
2016529645.tif 000005
【図３ｂ】
2016529645.tif 000006
【図３ｃ】
2016529645.tif 000007
【図４】
2016529645.tif 000008
【図５ａ】
2016529645.tif 000009
【図５ｂ】
2016529645.tif 000010
【図６】
2016529645.tif 000011
【図７】
2016529645.tif 000012
【図８】
2016529645.tif 000013
【図９】
2016529645.tif 000014
【図１０】
2016529645.tif 000015
【図１１ａ−１１ｂ】
2016529645.tif 000016
【図１２ａ】
2016529645.tif 000017
【図１２ｂ】
2016529645.tif 000018
【図１３ａ】
2016529645.tif 000019
【図１３ｂ】
2016529645.tif 000020
【図１４】
2016529645.tif 000021
【図１５】
2016529645.tif 000022
【図１６】
2016529645.tif 000023
【図１７】
2016529645.tif 000024
【手続補正書】
【提出日】平成28年3月1日(2016.3.1)
【手続補正１】
【補正対象書類名】特許請求の範囲
【補正対象項目名】全文
【補正方法】変更
【補正の内容】
【特許請求の範囲】
【請求項１】
信号を提供するよう動作可能なX線管収容アセンブリーであって、当該X線管収容アセンブリーは：
・焦点スポットからのX線放射を生成するためのX線管と；
・参照フィルタと；
参照検出器と；
・コントローラとを有しており、
前記X線放射は、主要部分および参照部分を含み、前記主要部分は前記参照部分とは相異なり、
前記主要部分および前記参照部分は、基面を基準に測られる、前記焦点スポットにある頂点からの仰角である最小および最大取り出し角の間にあり、
前記参照部分および前記主要部分の最小取り出し角は互いに等しく、前記参照部分および前記主要部分の最大取り出し角は互いに等しく、
前記参照フィルタは、前記参照検出器による前記参照部分の検出の前に前記参照部分をフィルタリングするよう構成され、
前記参照検出器は、前記参照部分を検出して参照信号を与えるよう構成され、
前記コントローラは、前記参照信号に基づいて信号を計算するよう構成されている、
X線管収容アセンブリー。
【請求項２】
当該X線管収容アセンブリーが、参照X線窓および主要X線窓をもつX線収容部を有しており、それにより、動作においては、前記参照X線窓が参照ビームを提供し、前記主要X線窓が主要ビームを提供する、請求項１記載のX線管収容アセンブリー。
【請求項３】
当該X線管収容アセンブリーは、X線を前記参照ビームと前記主要ビームに分離するよう、回転陽極X線管内部に配置されたX線に対して不透明なオブジェクトを有する、請求項１または２記載のX線管収容アセンブリー。
【請求項４】
当該X線管収容アセンブリーがさらに、前記参照検出器と前記参照フィルタとの中間に配置された減衰器を有する、請求項１ないし３のうちいずれか一項記載のX線管収容アセンブリー。
【請求項５】
前記参照フィルタは曝露と曝露の間に交換されることができる、請求項１ないし４のうちいずれか一項記載のX線管収容アセンブリー。
【請求項６】
前記参照検出器と前記減衰器の中間に位置され、前記焦点スポットに焦点を合わされた散乱防止グリッドを有する、請求項４または５記載のX線管収容アセンブリー。
【請求項７】
X線ブロッカーをさらに有しており、前記X線ブロッカーは空間解像スリットをもち、よって前記参照検出器と一緒になって強度分布の端から前記焦点スポットの位置を検出する一次元焦点スポット・スリット・カメラを形成するよう構成される、請求項１ないし６のうちいずれか一項記載のX線管収容アセンブリー。
【請求項８】
前記参照検出器の前面に配置されて空間解像ストライプを形成する不透明なワイヤをさらに有しており、該空間解像ストライプは、よって前記参照検出器と一緒になって強度分布のパターンから前記焦点スポットの位置を検出するよう構成される、請求項１ないし７のうちいずれか一項記載のX線管収容アセンブリー。
【請求項９】
二つの空間解像スリットが直交に位置されて、二次元焦点スポット・スリット・カメラを形成し、該カメラは、動作において、測定された参照ビームのパターンから前記焦点スポットの位置を検出するよう構成される、請求項７または８記載のX線管収容アセンブリー。
【請求項１０】
前記参照フィルタが異なるフィルタ値をもつ複数のフィルタを有しており、前記一次元または二次元の焦点スポット・スリット・カメラは、異なる減衰器値をもつさらなる複数の減衰器を有しており、それにより、前記スリット・カメラの前記参照検出器は減衰器およびフィルタの複数の組み合わせの背後で前記参照ビームを検出する、請求項７ないし９のうちいずれか一項記載のX線管収容アセンブリー。
【請求項１１】
前記フィルタおよび前記さらなる減衰器の諸組み合わせが前記参照ビームの全体をカバーする、請求項１０記載のX線管収容アセンブリー。
【請求項１２】
複数の一次元または二次元の焦点スポット・スリット・カメラが設けられ、一緒になってマルチ・スリット焦点スポット・カメラをなし、前記複数の一次元または二次元の焦点スポット・スリット・カメラのスリットのうち少なくとも第一および第二のスリットが、前記参照検出器のピクセル境界に対してオフセットされている、請求項７ないし１１のうちいずれか一項記載音X線管収容アセンブリー。
【請求項１３】
前記コントローラは、少なくとも一つの参照検出器の少なくとも一つの出力から：スペクトル変動性、管電圧、前記焦点スポットの位置、前記焦点スポットのサイズ、前記焦点スポットの強度、管電流、管加齢、動的陽極回転不安定性、周期的陽極回転不安定性、前記焦点スポットの位置もしくは形状の磁気歪みおよび前記焦点スポットの形状もしくは位置の重力歪みからなる群からの少なくとも一つのパラメータを計算するよう構成されている、請求項１ないし１２のうちいずれか一項記載のX線管収容アセンブリー。
【請求項１４】
前記参照フィルタおよび前記参照検出器が前記回転陽極X線管の容器内に配置される、請求項１記載のX線管収容アセンブリー。
【請求項１５】
複数の参照ビームが提供され、前記複数の参照ビームのそれぞれは参照検出器に関連付けられ、当該管収容アセンブリーは、動作において、前記複数の参照ビームからの信号を選択するまたは組み合わせるよう構成されている、請求項１ないし１４のうちいずれか一項記載のX線管収容アセンブリー。
【請求項１６】
・X線管収容アセンブリーと；
・変更可能なオブジェクト前のX線フィルタと；
・オブジェクト後の検出器と；
・処理ユニットとをもつX線撮像システムであって、
前記X線管収容アセンブリーは、請求項１ないし１５のうちいずれか一項記載のX線管収容アセンブリーであり、
前記オブジェクト前のX線フィルタは、前記X線管収容アセンブリーにおける少なくとも一つの参照フィルタ値にマッチし、
前記オブジェクト後の検出器は、前記X線管収容アセンブリー内の前記参照検出器と同じ型であり、
前記処理ユニットは、前記X線管収容アセンブリーから前記補正信号を受領し、該補正信号を前記オブジェクト後の検出器からのデータを補正するために使う、
X線撮像システム。
【請求項１７】
前記オブジェクト前のX線フィルタは、前記X線管収容アセンブリー内の前記少なくとも一つの参照フィルタとは異なる、請求項１５記載のX線撮像システム。
【請求項１８】
X線管収容アセンブリーのX線放出特性の変化を表わす信号を決定する方法であって：
ａ）X線管の焦点スポットからのX線放射を生成する段階であって、前記X線放射は主要部分および参照部分を含み、前記主要部分は前記参照部分とは相異なり、前記主要部分および前記参照部分は、基面を基準に測られる、前記焦点スポットにある頂点からの仰角である最小および最大取り出し角の間にあり、前記X線放射は主要部分および参照部分を含み、前記参照部分と主要部分の最小取り出し角は互いに等しく、前記参照部分と主要部分の最大取り出し角は互いに等しい、段階と；
ｂ）参照フィルタを使って前記参照部分をフィルタリングする段階と；
ｃ）前記参照部分を検出する段階と；
ｄ）前記参照部分の特性を表わす参照信号を出力する段階と；
ｅ）信号を計算する段階と；
ｆ）前記信号を出力する段階とを含む、
方法。
【手続補正２】
【補正対象書類名】明細書
【補正対象項目名】００１２
【補正方法】変更
【補正の内容】
【００１２】
本発明によれば、信号を提供するよう動作可能なX線管収容アセンブリーが提供される。該X線管収容アセンブリーは、焦点スポットからのX線放射を生成するためのX線管と、参照フィルタと、参照検出器と、コントローラとを有する。X線放射は、主要部分および参照部分を含み、主要部分は参照部分とは区別される。主要部分および参照部分は、基面（base  plane）を基準に測られる、焦点スポットにある頂点からの仰角である最小および最大取り出し角（take-off  angle）の間にある。参照部分および主要部分の最小取り出し角は互いに等しく、参照部分および主要部分の最大取り出し角は互いに等しい。参照フィルタは、参照検出器による参照部分の検出前に参照部分をフィルタリングするよう構成される。さらに、参照検出器は、参照部分を検出して参照信号を与えるよう構成され、コントローラは、該参照信号に基づいて信号を計算するよう構成される。
【国際調査報告】
2016529645.tif 000025
2016529645.tif 000026